(57)【要約】【課題】  容器への装着安定性に優れた表示ラベルを提供する。【課題手段】  正面係止部２１が延設された正面表示片２と、背面係止部３１が延設された背面表示片３と、正面表示片２及び背面表示片３を連結する第１連結片６及び第２連結片７と、前記２つの表示片２，３と連結片６，７によって囲われた範囲内に設けられた挿通孔部１１と、を有し、挿通孔部１１を容器の上方部に入れると共に、正面係止部２１を容器の胴部正面に当接させ且つ背面係止部３１を容器の胴部背面に当接させることにより、正面表示片２と背面表示片３が向かい合って立ち上がる表示ラベル１であって、正面表示片２には、容器の肩部正面に接する正面係合片４が連設され、正面係合片４が、挿通孔部１１側に延出されており、背面表示片３には、容器の肩部背面に接する背面係合片５が連設され、背面係合片５が、挿通孔部１１側に延出されている。【選択図】  図１
2014174520.tif 000002
【特許請求の範囲】
【請求項１】
正面係止部が延設された正面表示片と、
背面係止部が延設され且つ前記正面表示片に対向する背面表示片と、
前記正面表示片及び背面表示片を連結し且つ互いに間隔を開けて設けられた第１連結片及び第２連結片と、
前記正面表示片及び背面表示片と第１連結片及び第２連結片によって囲われた範囲内に設けられた挿通孔部と、を有し、
前記挿通孔部を容器の上方部に入れると共に、前記正面係止部を容器の胴部正面に当接させ且つ前記背面係止部を容器の胴部背面に当接させることにより、前記正面表示片と背面表示片が向かい合って立ち上がる表示ラベルであって、
前記正面表示片には、容器の肩部正面に接する正面係合片が連設され、前記正面係合片が、前記挿通孔部側に延出されており、
前記背面表示片には、容器の肩部背面に接する背面係合片が連設され、前記背面係合片が、前記挿通孔部側に延出されている、表示ラベル。
【請求項２】
前記正面係合片が、前記第１連結片及び第２連結片にも連設され、且つ、前記背面係合片が、前記第１連結片及び第２連結片にも連設されており、
前記第１連結片及び第２連結片が、向かい合って立ち上がる、請求項１に記載の表示ラベル。
【請求項３】
前記正面係合片には、間隔を開けて設けられた第１正面連設脚部及び第２正面連設脚部が設けられており、
前記正面係合片が、前記第１正面連設脚部において前記正面表示片及び第１連結片に連設され、且つ、前記正面係合片が、前記第２正面連設脚部において前記正面表示片及び第２連結片に連設されており、
前記背面係合片には、間隔を開けて設けられた第１背面連設脚部及び第２背面連設脚部が設けられており、
前記背面係合片が、前記第１背面連設脚部において前記背面表示片及び第１連結片に連設され、且つ、前記背面係合片が、前記第２背面連設脚部において前記背面表示片及び第２連結片に連設されている、請求項２に記載の表示ラベル。
【請求項４】
前記第１連結片及び第２連結片の少なくともいずれか一方には、容器の側面の段部に掛止される爪部が設けられている、請求項１乃至３のいずれか一項に記載の表示ラベル。
【請求項５】
請求項１乃至４のいずれか一項に記載の表示ラベルが、容器の上方部に装着されている、表示ラベル付き容器。
【請求項６】
請求項１乃至４のいずれか一項に記載の表示ラベルと、
四角筒状の胴部と２つの傾斜面を有する切妻屋根状の肩部とを有するゲーブルトップ型容器と、を有し、
前記容器の上方部に前記表示ラベルの挿通孔部が挿入され、
前記容器の胴部正面に前記表示ラベルの正面係止部が当接されて正面表示片が立ち上がり、且つ、前記容器の胴部背面に前記表示ラベルの背面係止部が当接されて背面表示片が立ち上がり、
前記正面表示片から曲げられた正面係合片が前記容器の肩部の一方の傾斜面に当接され、且つ、前記背面表示片から曲げられた背面係合片が前記容器の肩部の他方の傾斜面に当接されており、
前記正面係止部と正面係合片が前記容器の胴部正面と一方の傾斜面を挟持し、且つ、前記背面係止部と背面係合片が前記容器の胴部背面と他方の傾斜面を挟持している、表示ラベル付き容器。
【発明の詳細な説明】
【技術分野】
【０００１】
本発明は、宣伝広告効果を高めるために、容器の上方部に装着して使用される表示ラベル及びそれが装着された表示ラベル付き容器に関する。
【背景技術】
【０００２】
従来、宣伝広告効果を高める目的で、商品名、懸賞案内などの各種広告を表示した表示ラベルを、容器に装着することが行われている。
例えば、特許文献１には、ボトル容器の首部に取り付けて使用するボトルネッカーラベルであって、対向する一対の起立可能な突出片と、前記突出片を挟んでそれぞれ折り曲げられて対向して立ち上がる一対の立ち上がり片と、を有し、ボトルのネック部に挿着された後、ボトルのネジ部下端に前記突出片がそれぞれ対向して当接して固定され、且つ、前記立ち上がり片の下端の一部周縁がボトル肩部を覆うように折り曲げられて立ち上がるボトルネッカーラベルが開示されている。かかるボトルネッカーラベルは、それをボトルの首部に挿入することにより、一対の立ち上がり片が起立し且つ一対の突出片が斜めに延び、その突出片がボトルのネジ部下端に掛止されると共に立ち上がり片の裏面側を支持することにより、起立した立ち上がり片がボトル側に倒れることを防止できる。
【０００３】
前記ボトルネッカーラベルにおいては、一対の立ち上がり片に挟まれた一対の突出片がボトルの肩部の傾斜に従い斜めに延びることによってネジ部下端に掛止されると共に、その突出片によって立ち上がり片の起立が支持される。
しかしながら、前記ボトルネッカーラベルは、前記ネジ部下端を有さない容器には安定的に装着できず、特に、ゲーブルトップ型容器のような、肩部が屋根形状を成した容器には安定的に装着できないという問題点がある。
具体的には、ゲーブルトップ型容器は、四角筒状の胴部と、その胴部の上方に設けられた切妻屋根状の肩部と、を有し、前記切妻屋根状の肩部は、２つの傾斜面と、２つの妻面と、を有する。前記妻面は、三角輪郭縁によって形成され、前記三角輪郭縁で囲われる範囲内は内側に凹んでいる。前記２つの妻面の各三角輪郭線は、胴部側面と同一平面上にある。
かかるゲーブルトップ型容器の上方部に前記従来のボトルネッカーラベルを装着すると、１つの立ち上がり片が胴部正面に当接し且つもう１つの立ち上がり片が胴部背面に当接する一方で、１つの突出片が肩部の１つの妻面に当接し且つもう１つの突出片が肩部のもう１つの妻面に当接する。上述のようにゲーブルトップ型容器の胴部は四角筒状で且つ妻面の三角輪郭線は胴部側面と同一平面上に存在するので、前記ボトルネッカーラベルは、装着時に、一対の立ち上がり片と突出片が胴部と略同じ四角筒状を成す。よって、突出片にて容器に掛止されない上、立ち上がり片の裏面側が突出片によって支持され難い。このため、装着後、搬送中にボトルネッカーラベルが容器の下方に位置ずれする場合があり、さらに、ボトルネッカーラベルを上方に引き抜くと、そのラベルが簡単に容器から外れる場合がある。さらに、装着後のボトルネッカーラベルの立ち上がり片が裏面側に倒れる場合もある。このように、従来のボトルネッカーラベルは、容器に対する装着安定性が悪いという問題点がある。
【先行技術文献】
【特許文献】
【０００４】
【特許文献１】特開２００７−３２０６００号公報
【発明の概要】
【発明が解決しようとする課題】
【０００５】
本発明の目的は、容器への装着安定性に優れた表示ラベル及びその表示ラベル付き容器を提供することである。
【課題を解決するための手段】
【０００６】
本発明は、正面係止部が延設された正面表示片と、背面係止部が延設され且つ前記正面表示片に対向する背面表示片と、前記正面表示片及び背面表示片を連結し且つ互いに間隔を開けて設けられた第１連結片及び第２連結片と、前記正面表示片及び背面表示片と第１連結片及び第２連結片によって囲われた範囲内に設けられた挿通孔部と、を有し、前記挿通孔部を容器の上方部に入れると共に、前記正面係止部を容器の胴部正面に当接させ且つ前記背面係止部を容器の胴部背面に当接させることにより、前記正面表示片と背面表示片が向かい合って立ち上がる表示ラベルであって、前記正面表示片には、容器の肩部正面に接する正面係合片が連設され、前記正面係合片が、前記挿通孔部側に延出されており、前記背面表示片には、容器の肩部背面に接する背面係合片が連設され、前記背面係合片が、前記挿通孔部側に延出されている。
【０００７】
上記表示ラベルは、正面係合片及び背面係合片が挿通孔部側に延出されている。かかる表示ラベルを挿通孔部から容器の上方部に装着すると、挿通孔部側に延出された正面係合片及び背面係合片が容器の上方部に押されて正面表示片から鋭角状に曲がり、正面表示片から延設された正面係止部と正面係合片が容器の胴部正面と肩部正面を挟持し、且つ、背面表示片から延設された背面係止部と背面係合片が容器の胴部背面と肩部背面を挟持するので、表示ラベルが容器の上方部にしっかりと止まり、表示ラベルが簡単に容器から外れることを防止できる。
また、正面表示片及び背面表示片に連設された正面係合片及び背面係合片が正面表示片及び背面表示片からそれぞれ鋭角状に曲がると、板バネ作用により、肩部正面及び肩部背面を押圧するので、正面表示片及び背面表示片はその挿通孔部側に倒れることなく確実に立ち上がるようになる。
【０００８】
本発明の好ましい表示ラベルは、前記正面係合片が、前記第１連結片及び第２連結片にも連設され、且つ、前記背面係合片が、前記第１連結片及び第２連結片にも連設されており、前記第１連結片及び第２連結片が、向かい合って立ち上がっている。
本発明の好ましい表示ラベルは、前記正面係合片には、間隔を開けて設けられた第１正面連設脚部及び第２正面連設脚部が設けられており、前記正面係合片が、前記第１正面連設脚部において前記正面表示片及び第１連結片に連設され、且つ、前記正面係合片が、前記第２正面連設脚部において前記正面表示片及び第２連結片に連設されており、前記背面係合片には、間隔を開けて設けられた第１背面連設脚部及び第２背面連設脚部が設けられており、前記背面係合片が、前記第１背面連設脚部において前記背面表示片及び第１連結片に連設され、且つ、前記背面係合片が、前記第２背面連設脚部において前記背面表示片及び第２連結片に連設されている。
１つの好ましい態様では、例えば、前記第１正面連設脚部と第１連結片との境界部が、前記第１正面連設脚部と正面表示片との境界部に対して非平行な方向に延び、前記第２正面連設脚部と第２連結片との境界部が、前記第２正面連設脚部と正面表示片との境界部に対して非平行な方向に延びている。他の好ましい態様では、例えば、前記第１背面連設脚部と第１連結片との境界部が、前記第１背面連設脚部と背面表示片との境界部に対して非平行な方向に延び、前記第２背面連設脚部と第２連結片との境界部が、前記第２背面連設脚部と背面表示片との境界部に対して非平行な方向に延びている。
本発明の好ましい表示ラベルは、前記第１連結片及び第２連結片の少なくともいずれか一方に、容器の側面の段部に掛止される爪部が設けられている。
【０００９】
本発明の別の局面によれば、表示ラベル付き容器を提供する。
本発明の表示ラベル付き容器は、前記いずれかの表示ラベルと、四角筒状の胴部と２つの傾斜面を有する切妻屋根状の肩部とを有するゲーブルトップ型容器と、を有し、前記容器の上方部に前記表示ラベルの挿通孔部が挿入され、前記容器の胴部正面に前記表示ラベルの正面係止部が当接されて正面表示片が立ち上がり、且つ、前記容器の胴部背面に前記表示ラベルの背面係止部が当接されて背面表示片が立ち上がり、前記正面表示片から曲げられた正面係合片が前記容器の肩部の一方の傾斜面に当接され、且つ、前記背面表示片から曲げられた背面係合片が前記容器の肩部の他方の傾斜面に当接されており、前記正面係止部と正面係合片が前記容器の胴部正面と一方の傾斜面を挟持し、且つ、前記背面係止部と背面係合片が前記容器の胴部背面と他方の傾斜面を挟持している。
【発明の効果】
【００１０】
本発明の表示ラベルは、容器、特にゲーブルトップ型容器に装着した場合でも、装着位置がずれ難く、また、２つの表示片が傾くことを防止して、安定的に容器に装着できる。
また、本発明の表示ラベル付き容器は、表示ラベルがずれ難い上、不用意に外れ難く、さらに、２つの表示片が安定的に立ち上がるので、消費者への広告宣伝効果にも優れている。
【図面の簡単な説明】
【００１１】
【図１】本発明の１つの実施形態に係る表示ラベルの斜視図。
【図２】同正面図。
【図３】同側面図。
【図４】同表示ラベルを扁平状にしたときの第１面側から見た平面図。
【図５】ゲーブルトップ型容器の斜視図。
【図６】本発明の１つの実施形態に係る表示ラベル付き容器の斜視図。
【図７】同表示ラベル付き容器の正面図。
【図８】同表示ラベル付き容器の側面図。
【図９】同表示ラベル付き容器の上面図。
【図１０】図７のＸ−Ｘ線断面図。
【図１１】図８のＸＩ−ＸＩ線断面図。
【図１２】本発明の他の実施形態に係る表示ラベル付き容器の斜視図。
【図１３】本発明のさらなる他の実施形態に係る表示ラベル付き容器の斜視図。
【発明を実施するための形態】
【００１２】
以下、本発明について適宜図面を参照しつつ説明する。
ただし、本明細書において、各部の用語の前に付した、第１及び第２は、各部を区別するために付加されたものであり、各部の優劣や順序などを意味しない。
また、「正面」は、自立させた容器の周方向の任意の一箇所から容器を見たときに見える面であり、「背面」は、前記正面から周方向に約１８０度ずれた箇所から容器を見たときに見える面である。さらに、方向性を示す用語として、「上、下、左、右」を使用するが、これらは、便宜上、自立させた容器を基準にした方向を指し、表示ラベルにおける「上、下、左、右」の方向性は、自立させた容器にそれを装着した状態を基準にしている。また、各図において、折り罫線を一点鎖線で示すが、折り罫線にて折り曲げられている場合には、その折り目（折り罫線）を実線で示している。
【００１３】
図１乃至図３に於いて、表示ラベル１は、一対の表示片２，３と、一対の係合片４，５と、左右一対の連結片６，７と、前記一対の表示片２，３と一対の連結片４，５によって囲われた範囲内に設けられた挿通孔部１１と、を有する。
前記一対の表示片の一方は、正面係止部２１が延設された正面表示片２であり、その他方は、背面係止部３１が延設され且つ前記正面表示片２に対向する背面表示片３である。前記一対の係合片の一方は、正面表示片２に連設された正面係合片４であり、その他方は、背面表示片３に連設された背面係合片５である。前記一対の連結片は、正面表示片２と背面表示片３を連結する第１連結片６及び第２連結片７である。
容器に装着していない時（表示ラベル１そのものを保管又は運搬する時）の上記表示ラベル１の形態は、図４に示すように、扁平状とされている。この扁平状態から正面表示片２及び背面表示片３を折り曲げて立ち上げると共に、正面係合片４及び背面係合片５を正面表示片２及び背面表示片３に対して鋭角状に曲げ且つ第１連結片６及び第２連結片７を立ち上げることにより、図１乃至図３に示す表示ラベル１が得られる。
以下、具体的に説明する。
【００１４】
表示ラベル１は、適度な剛性と可撓性を有する１つのシート材から形成されている。前記１つのシート材は、１枚の枚様体でもよいし、２枚以上の枚様体を同一平面上にて繋ぎ合わせて１つに形成したものでもよい。通常、表示ラベル１は、１枚の枚様体から形成される。
シート材は、特に限定されず、紙、厚紙、合成紙、合成樹脂シート、合成樹脂発泡シート、これらの積層体、これらと他のシートの積層体などを用いることができる。通常、前記シート材は、紙、合成樹脂シートが用いられる。紙または厚紙を用いる場合には、その目付量が６０〜３００ｇ／ｍ２程度のものが好ましい。合成紙または合成樹脂シートを用いる場合には、その厚みが５０μｍ〜３００μｍ程度のものが好ましい。
【００１５】
図４に示すように、前記１つのシート材を所要形状に切り取り、そのシート材の面内に有端状の切込み線（図４において、シート材の面内に描かれた実線が切込み線である）を適宜形成することにより、前記正面係止部２１を含む正面表示片２、正面係合片４、背面係止部３１を含む背面表示片３、背面係合片５、第１連結片６及び第２連結片７が画成されている。なお、以下において、正面表示片などの各部の第１面は、この図４の扁平状態において見える面を指し、各部の第２面は、その反対側の面を指す。
正面表示片２、背面表示片３、正面係合片４及び背面係合片５を曲げることによって、前記シート材の面内に生じる開口が、表示ラベル１を容器に装着する際の、容器の上方部に挿入される挿通孔部１１となる。
正面表示片２は、表示ラベル１を容器の上方部に装着した際に、正面係止部２１が容器の胴部正面に当接し、容器の正面にて上下方向に立ち上がる。背面表示片３は、表示ラベル１を容器の上方部に装着した際に、背面係止部３１が容器の胴部背面に当接し、容器の背面にて上下方向に立ち上がる。正面表示片２と背面表示片３は、向かい合って立ち上がっている。
正面表示片２及び背面表示片３は、比較的大きな面積の平板状であり、その外形は特に限定されず、適宜な形状に設定できる。図示例では、正面表示片２及び背面表示片３は、略矩形状に形成されている。正面係止部２１は、図１乃至図３に示すように、正面表示片２の下方に延設されている。背面係止部３１は、背面表示片３の下方に延設されている。正面係止部２１及び背面係止部３１は、正面表示片２及び背面表示片３の左端部及び／又は右端部から延設されていてもよいが、各表示片２，３を安定的に立ち上がらせるために、正面係止部２１及び背面係止部３１は、図２に示すように、それぞれ正面表示片２及び背面表示片３の中央部から下方に延設されている。正面係止部２１及び背面係止部３１の外形は、特に限定されず、適宜な形状に設定できる。図示例では、正面係止部２１及び背面係止部３１は、略半円状に形成されている。
正面係止部２１を含む正面表示片２及び背面係止部３１を含む背面表示片３の第２面には、所望のデザインが印刷などの公知の手法にて表示されている（図２において、正面表示片２の第２面に「デザイン」と表している）。なお、本発明の表示ラベル１は、前記各表示片２，３の第２面だけにデザインが表示されている場合に限られず、各表示片２，３の第１面、各係合片４，５の第１面及び第２面並びに各連結片６，７の第１面及び第２面から選ばれる少なくとも１つにデザインが表示されていてもよい。
【００１６】
正面係合片４には、正面表示片２に連設される、連設脚部が設けられている。
正面係合片４は、少なくとも１つの連設脚部において正面表示片２に連設されている。好ましくは、正面係合片４は、互いに間隔を開けて設けられた２つの連設脚部（第１正面連設脚部４１及び第２正面連設脚部４２）において正面表示片２に連結されている。第１正面連設脚部４１は、正面係合片４の一方の端部（図４において、右端部）に配置され、第２正面連設脚部４２は、正面係合片４の他方の端部（図４において、左端部）に配置されている。従って、正面係合片４と正面表示片２は、その両端部において連設されている。また、第１正面連設脚部４１と第２正面連設脚部４２の間には、正面表示片２から一体的に延設された正面係止部２１が配置されている。正面係合片４は、第１正面連設脚部４１及び第２正面連設脚部４２から挿通孔部１１側に延設されている。なお、正面係合片４の中央部には、舌片部４９が延設されており、従って、正面係合片４の中央部は、幅広に形成されている。
【００１７】
第１正面連設脚部４１及び第２正面連設脚部４２と正面表示片２との境界部Ａ１，Ａ２には、それぞれ折り罫線が形成されている。第１正面連設脚部４１及び第２正面連設脚部４２と正面表示片２との境界部Ａ１，Ａ２は、左右方向と略平行な方向に延在している。なお、前記左右方向は、正面表示片２の立ち上がり方向（上下方向）に直交し、且つ、正面表示片２と背面表示片３の対向方向に対して直交する方向である。これらの折り罫線は、前記境界部Ａ１，Ａ２の全体に亘って形成されている。もっとも、前記境界部Ａ１，Ａ２の少なくとも一部分に折り罫線が形成されていなくてもよい（図示せず）。例えば、各境界部Ａ１，Ａ２の一部分に折り罫線が形成され且つ（境界部の残る部分に折り罫線が形成されておらず）各境界部Ａ１，Ａ２の残る部分の第１面及び第２面が平坦状のままでもよいし、或いは、各境界部Ａ１，Ａ２の全体に前記折り罫線が形成されていなくてもよい。
【００１８】
図１に示すように、挿通孔部１１側に向かって延出された正面係合片４は、前記正面表示片２との境界部Ａ１，Ａ２において折り曲げられている。曲げられた正面係合片４は、立ち上げられた正面表示片２の第１面に対して鋭角を成して傾斜している。ただし、正面係合片４の先端部（第１正面連設脚部４１及び第２正面連設脚部４２とは反対側の端部）は自由端であるため、正面係合片４は、前記正面表示片２との境界部Ａ１，Ａ２を軸として回動可能（概ね上下方向に回動）である。従って、正面係合片４は、正面表示片２の第１面に近づくように回動し、及び、正面表示片２の第１面に遠ざかるように回動しうる。また、正面表示片２に連設され且つ正面表示片２から鋭角状に曲げられた正面係合片４は、板バネ作用により、正面表示片２の第１面から遠ざかる方向に付勢されている。換言すると、正面表示片２に連設され且つ曲げられた正面係合片４は、板バネ作用により、正面表示片２の第１面に対する角度が大きくなるように付勢されている。
【００１９】
背面係合片５には、背面表示片３に連設される、連設脚部が設けられている。
背面係合片５は、少なくとも１つの連設脚部において背面表示片３に連設されている。好ましくは、背面係合片５は、互いに間隔を開けて設けられた２つの連設脚部（第１背面連設脚部５１及び第２背面連設脚部５２）において背面表示片３に連結されている。第１背面連設脚部５１は、背面係合片５の一方の端部（図４において、右端部）に配置され、第２背面連設脚部５２は、背面係合片５の他方の端部（図４において、左端部）に配置されている。従って、背面係合片５と背面表示片３は、その両端部において連設されている。また、第１背面連設脚部５１と第２背面連設脚部５２の間には、背面表示片３から一体的に延設された背面係止部３１が配置されている。背面係合片５は、第１背面連設脚部５１及び第２背面連設脚部５２から挿通孔部１１側に延設されている。なお、背面係合片５の中央部には、舌片部５９が延設されており、従って、背面係合片５の中央部は、幅広に形成されている。
【００２０】
第１背面連設脚部５１及び第２背面連設脚部５２と背面表示片３との境界部Ｂ１，Ｂ２には、それぞれ折り罫線が形成されている。第１背面連設脚部５１及び第２背面連設脚部５２と背面表示片３との境界部Ｂ１，Ｂ２は、左右方向と略平行な方向に延在している。なお、前記左右方向は、背面表示片３の立ち上がり方向（上下方向）に直交し、且つ、背面表示片３と背面表示片３の対向方向に対して直交する方向である。これらの折り罫線は、前記境界部Ｂ１，Ｂ２の全体に亘って形成されている。もっとも、前記境界部Ｂ１，Ｂ２の少なくとも一部分に折り罫線が形成されていなくてもよい（図示せず）。例えば、各境界部Ｂ１，Ｂ２の一部分に折り罫線が形成され且つ（境界部の残る部分に折り罫線が形成されておらず）各境界部Ｂ１，Ｂ２の残る部分の第１面及び第２面が平坦状のままでもよいし、或いは、各境界部Ｂ１，Ｂ２の全体に前記折り罫線が形成されていなくてもよい（図示せず）。
【００２１】
図１に示すように、挿通孔部１１側に向かって延出された背面係合片５は、前記背面表示片３との境界部Ｂ１，Ｂ２において折り曲げられている。曲げられた背面係合片５は、立ち上げられた背面表示片３の第１面に対して鋭角を成して傾斜している。ただし、背面係合片５の先端部（第１背面連設脚部５１及び第２背面連設脚部５２とは反対側の端部）は自由端であるため、背面係合片５は、前記背面表示片３との境界部Ｂ１，Ｂ２を軸として回動可能（概ね上下方向に回動）である。従って、背面係合片５は、背面表示片３の第１面に近づくように回動し、及び、背面表示片３の第１面に遠ざかるように回動しうる。また、背面表示片３に連設され且つ背面表示片３から鋭角状に曲げられた背面係合片５は、板バネ作用により、背面表示片３の第１面から遠ざかる方向に付勢されている。換言すると、背面表示片３に連設され且つ曲げられた背面係合片５は、板バネ作用により、背面表示片３の第１面に対する角度が大きくなるように付勢されている。
【００２２】
前記折り罫線としては、シート材の厚み方向に貫通する貫通孔が断続的に形成された線（いわゆるミシン目線）、シート材に貫通せず且つシート材の厚み方向に略Ｖ字状に切り込んだ線（いわゆるハーフカット線）などを用いることができる。
【００２３】
第１連結片６及び第２連結片７は、正面表示片２と背面表示片３を連結する部分であり、正面表示片２と背面表示片３の間隔を規制している。
第１連結片６及び第２連結片７の外形は、特に限定されず、適宜な形状に設定できる。図１乃至図３に示すように、第１連結片６及び第２連結片７は、例えば、下方が円弧状に形成された帯状に形成されている。
さらに、第１連結片６の上方には、第１側方係止部６１が延設されている。この第１側方係止部６１は、ゲーブルトップ型容器の一方の妻面に当接する部分であり、例えば、山型状に形成されている。第１側方係止部６１を含む第１連結片６の面内には、第１連結片６を立ち上げた状態で上向きに膨らんだ有端状の切込み線が形成されている。この切込み線により、第１連結片６の面内に第１爪部６２が画成されている。第１爪部６２は、第１連結片６に対して折り曲げ可能である。
また、第２連結片７の上方には、第２側方係止部７１が延設されている。この第２側方係止部７１は、ゲーブルトップ型容器の他方の妻面に当接する部分であり、例えば、山型状に形成されている。第２側方係止部７１を含む第２連結片７の面内には、第２連結片７を立ち上げた状態で上向きに膨らんだ有端状の切込み線が形成されている。この切込み線により、第２連結片７の面内に第２爪部７２が画成されている。第２爪部７２は、第１連結片６に対して折り曲げ可能である。
【００２４】
第１連結片６は、正面表示片２の一方の端部（右端部）と背面表示片３の一方の端部（右端部）を連結している。また、第２連結片７は、正面表示片２の他方の端部（左端部）と背面表示片３の他方の端部（左端部）を連結している。第１連結片６及び第２連結片７は、それぞれ正面表示片２及び背面表示片３に直接連設されていてもよいが、好ましくは、正面係合片４及び背面係合片５を介して正面表示片２及び背面表示片３に連設される。
【００２５】
詳しくは、第１連結片６の一方の端部は、正面係合片４の第１正面連設脚部４１に連設され、第１連結片６の他方の端部は、背面係合片５の第１背面連設脚部５１に連設されている。
第１連結片６と第１正面連設脚部４１との境界部Ｃ１は、第１正面連設脚部４１と正面表示片２との境界部Ａ１の延びる方向とは非平行な方向に延在している。例えば、第１連結片６と第１正面連設脚部４１との境界部Ｃ１は、第１正面連設脚部４１と正面表示片２との境界部Ａ１の延びる方向に対して略直交する方向に延在している。図３に示すように、第１連結片６と第１正面連設脚部４１との境界部Ｃ１は、正面表示片２と背面表示片３の対向方向と略平行な方向に延在している。なお、上述のように、第１正面連設脚部４１と正面表示片２との境界部Ａ１の延びる方向は、左右方向である。
同様に、第１連結片６と第１背面連設脚部５１との境界部Ｄ１は、第１背面連設脚部５１と背面表示片３との境界部Ｂ１の延びる方向とは非平行な方向に延在している。例えば、第１連結片６と第１背面連設脚部５１との境界部Ｄ１は、第１背面連設脚部５１と背面表示片３との境界部Ｂ１の延びる方向に対して略直交する方向に延在している。第１連結片６と第１背面連設脚部５１との境界部Ｄ１は、正面表示片２と背面表示片３の対向方向と略平行な方向に延在している。
【００２６】
また、第２連結片７の一方の端部は、正面係合片４の第２正面連設脚部４２に連設され、第２連結片７の他方の端部は、背面係合片５の第２背面連設脚部５２に連設されている。
第２連結片７と第２正面連設脚部４２との境界部Ｃ２は、第２正面連設脚部４２と正面表示片２との境界部Ａ２の延びる方向とは非平行な方向に延在している。例えば、第２連結片７と第２正面連設脚部４２との境界部Ｃ２は、第２正面連設脚部４２と正面表示片２との境界部Ａ２の延びる方向に対して略直交する方向に延在している。第２連結片７と第２正面連設脚部４２との境界部Ｃ２は、正面表示片２と背面表示片３の対向方向と略平行な方向に延在している。なお、上述のように、第２正面連設脚部４２と正面表示片２との境界部Ａ２の延びる方向は、左右方向である。
同様に、第２連結片７と第２背面連設脚部５２との境界部Ｄ２は、第２背面連設脚部５２と背面表示片３との境界部Ｂ２の延びる方向とは非平行な方向に延在している。例えば、第２連結片７と第２背面連設脚部５２との境界部Ｄ２は、第２背面連設脚部５２と背面表示片３との境界部Ｂ２の延びる方向に対して略直交する方向に延在している。第２連結片７と第２背面連設脚部５２との境界部Ｄ２は、正面表示片２と背面表示片３の対向方向と略平行な方向に延在している。
【００２７】
従って、正面係合片４は、第１正面連設脚部４１及び第２正面連設脚部４２において、正面表示片２に連設されていると共に、第１連結片６の端部及び第２連結片７の端部にも連設されている。背面係合片５は、第１背面連設脚部５１及び第２背面連設脚部５２において、背面表示片３に連設されていると共に、第１連結片６の端部及び第２連結片７の端部にも連設されている。
第１連結片６及び第２連結片７にも連設された正面係合片４は、第１連結片６及び第２連結片７に対しても折り曲げられており、同様に、背面係合片５は、第１連結片６及び第２連結片７に対しても折り曲げられている。また、第１連結片６は、第１側方係止部６１が上向きに立ち上がるように折り曲げられており、第２連結片７は、第２側方係止部７１が上向きに立ち上がるように折り曲げられている。
第１連結片６と第１正面連設脚部４１及び第１背面連設脚部５１との境界部Ｃ１，Ｄ１、並びに、第２連結片７と第２正面連設脚部４２及び第２背面連設脚部５２との境界部Ｃ２，Ｄ２には、折り罫線が形成されていてもよいが、好ましくは、これらの境界部Ｃ１，Ｃ２，Ｄ１，Ｄ２の少なくとも一部分には折り罫線が形成されておらず（境界部の一部分に折り罫線が形成され且つ境界部の残る部分の第１面及び第２面が平坦状のままであり）、より好ましくは、図示例のように、これらの境界部Ｃ１，Ｃ２，Ｄ１，Ｄ２の全体には折り罫線が形成されていない。これらの境界部Ｃ１，Ｃ２，Ｄ１，Ｄ２の全体に折り罫線を形成しないことにより（境界部の少なくとも一部分の第１面及び第２面が平坦状のままであることにより）、折り曲げられた正面係合片４及び背面係合片５に強いバネ作用が働き、正面係合片４及び背面係合片５は、それぞれ正面係合片４及び背面表示片３の第１面から遠ざかる方向に強く付勢される。さらに、前記折り罫線を形成しないことにより、各境界部Ｃ１，Ｃ２，Ｄ１，Ｄ２にて不用意に破断することを防止できる。
【００２８】
上記表示ラベル１は、容器の上方部に装着して使用される。
装着される容器としては、特に限定されず、例えば、ＰＥＴボトルなどのボトル型合成樹脂製容器、アルミニウムボトル缶などのボトル型金属製容器、ゲーブルトップ型容器などが挙げられる。
特に、本発明の表示ラベル１は、ゲーブルトップ型容器に装着するのに好適である。
ゲーブルトップ型容器は、牛乳、コーヒーやフルーツジュースなどを入れる容器であり、従来から広く用いられている。ゲーブルトップ型容器９は、樹脂フィルムが積層された紙を箱状に組み立てた容器であり、その形状は、図５に示すように、四角筒状の胴部９１と、その胴部９１の上方に設けられた切妻屋根状の肩部９２と、を有する。前記切妻屋根状の肩部９２は、２つの傾斜面９２１，９２２と、２つの妻面９２３と、を有する。前記２つの傾斜面うちの一方９２１は、胴部正面の上方に位置しており、肩部正面を構成している。２つの傾斜面のうち他方９２２は、胴部背面の上方に位置しており、肩部背面を構成している。前記２つの傾斜面９２１，９２２は、それぞれ紙の平坦面からなり、棟部において略直交して繋がっている。屋根状の棟部には、接合代９３が上方に突設されており、その接合代９３は、２つの傾斜面９２１，９２２からそれぞれ延出された紙を接着することにより形成されている。この接合代９３を剥離することにより、牛乳などの内容物を注出する注出口が生じ、接合代９３は、注出口を構成している。前記２つの妻面９２３は、胴部側面の上方にそれぞれ位置している。前記２つの妻面９２３は折り曲げた紙の縁である三角輪郭縁９２１ａ，９２２ａ，９１ａによって形成されており、前記三角輪郭縁で囲われる範囲内は内側に凹んだ段部９４とされている。前記三角輪郭縁は、前記２つの傾斜面９２１，９２２の傾斜縁９２１ａ，９２２ａと、胴部側面の上端縁９１ａと、から構成されている。前記２つの妻面９２３の三角輪郭線は、それぞれ胴部側面と同一平面上にある。なお、前記胴部正面及び胴部背面は、上下方向に延在する面であり、胴部正面と胴部背面は対向している。また、２つの胴部側面は、それぞれ胴部正面及び胴部背面に直交している。
【００２９】
かかるゲーブルトップ型容器９の接合代９３から表示ラベル１の挿通孔部１１を挿入すると、挿通孔部１１側に延出された正面係合片４及び背面係合片５が容器の上方部に押されて正面表示片２及び背面表示片３からそれぞれ鋭角に曲がる。そして、図６乃至図１１に示すように、容器９の胴部正面の上方部に正面係止部２１の第１面を当接させ、且つ、容器９の胴部背面の上方部に背面係止部３１の第１面を当接させる。すると、表示ラベル１の正面表示片２が胴部正面の上方に立ち上がると共に、正面表示片２から曲がった正面係合片４がその第２面にて肩部９２の一方の傾斜面９２１に当接し、且つ、表示ラベル１の背面表示片３が胴部背面の上方に立ち上がると共に、背面表示片３から曲がった背面係合片５がその第２面にて肩部９２の他方の傾斜面９２２に当接する。さらに、第１側方係止部６１を上方に向けながら第１側方係止部６１の第２面を一方の妻面９２３の三角輪郭縁９２１ａ，９２２ａに当接させると共に第１連結片６の第２面を胴部９１の上縁９１ａを含む胴部側面に当接させ、且つ、第２側方係止部７１を上方に向けながら第２側方係止部７１の第２面を他方の妻面９２４の三角輪郭縁９２１ａ，９２２ａに当接させると共に第２連結片７の第２面を胴部９１の上縁９１ａを含む胴部側面に当接させる。最後に、第１爪部６２及び第２爪部７２を内側に押し出し、第１爪部６２及び第２爪部７２の各先端部を妻面９２３，９２４の段部９４，９４内に配置する。
このようにして、図６乃至図１１に示す表示ラベル付き容器１０が得られる。
【００３０】
かかる表示ラベル付き容器１０は、正面係合片４が容器９の肩部９２の一方の傾斜面９２１に当接され、且つ、背面係合片５が容器９の肩部９２の他方の傾斜面９２２に当接されている。正面係合片４及び背面係合片５は正面表示片２及び背面表示片３から曲げられ、板バネ作用により付勢されているので、前記正面係止部２１と正面係合片４が容器９の胴部正面と一方の傾斜面９２１（肩部正面）を挟持し、且つ、前記背面係止部３１と背面係合片５が容器９の胴部背面と他方の傾斜面９２２（肩部背面）を挟持するようになる。このため、上記表示ラベル付き容器１０においては、表示ラベル１が容器９の上方部にしっかりと止まり、表示ラベル１が簡単に容器９から外れ難くなる。
特に、正面係合片４及び背面係合片５は、各連設脚部４１，４２，５１，５２において第１連結片６及び第２連結片７にも連設されており、第１連結片６及び第２連結片７と各連設脚部４１，４２，５１，５２との境界部Ｃ１，Ｃ２，Ｄ１，Ｄ２が、正面表示片２及び背面表示片３と各連設脚部４１，４２，５１，５２との境界部Ａ１，Ａ２，Ｂ１，Ｂ２の延びる方向とは非平行な方向に延在している。このため、正面係合片４及び背面係合片５は、第１連結片６及び第２連結片７の板バネ作用も受け、各傾斜面９２１，９２２を強く押さえ付けるように付勢される。よって、上述の正面係止部２１と正面係合片４の挟持及び背面係止部３１と背面係合片５の挟持が強くなり、表示ラベル１の装着安定性が優れる。
なお、正面表示片２及び背面表示片３に連設された正面係合片４及び背面係合片５が傾斜面９２１，９２２を押圧しているので、正面表示片２及び背面表示片３はその第１面側に倒れることなく上方に起立する（即ち、図８の矢印Ａ側に倒れることを防止できる）。
また、正面表示片２及び背面表示片３から延設された正面係止部２１及び背面係止部３１が胴部正面及び胴部背面に当接しているので、正面表示片２及び背面表示片３はその第２面側に倒れることなく上方に起立する（即ち、図８の矢印Ｂ側に倒れることを防止できる）。このため、上記表示ラベル付き容器１０は、正面表示片２及び背面表示片３に施されたデザインを消費者に良好見せることができる。
【００３１】
さらに、上記表示ラベル付き容器１０は、第１側方係止部６１を含む第１連結片６が一方の妻面９２３の三角輪郭縁に当接され、且つ、第２側方係止部７１を含む第２連結片７が他方の妻面９２４の三角輪郭縁に当接されているので、表示ラベル１の左右方向への位置ずれを防止できる。また、第１爪部６２及び第２爪部７２が段部９４内に差し込まれているので、装着された表示ラベル１を上方に引き抜こうとしても第１爪部６２及び第２爪部７２が段部９４，９４の上方部に掛止され、表示ラベル１が抜けることもない。
【００３２】
上記実施形態の表示ラベル１においては、第１側方係止部６１を上向きして第１連結片６が折り曲げられ且つ第２側方係止部７１を上向きにして第２連結片７が折り曲げられているが、図１２に示すように、第１側方係止部６１を下向きにして第１連結片６が折り曲げられ且つ第２側方係止部７１を下向きして第２連結片７が折り曲げられていてもよい。なお、この場合、第１爪部６２及び第１爪部７２の各先端部が、第１連結片６及び第２連結片７を折り曲げた状態で上向きとなるように、第１爪部６２及び第２爪部７２を画成する切込み線は、上記実施形態とは１８０度反転させて形成される。
かかる表示ラベル１を容器９の上方部に装着した表示ラベル付き容器１０は、図１２に示すように、第１連結片６第１面を一方の妻面９２３の三角輪郭縁９２１ａ，９２２ａに当接させると共に第１側方係止部６１第１面を胴部９１の上縁９１ａを含む胴部側面に当接させ、且つ、第２連結片７の第１面を他方の妻面の三角輪郭縁に当接させると共に第２側方係止部の第１面を胴部の上縁を含む胴部側面に当接させる点を除いて、上記実施形態と同様である。
【００３３】
また、上記実施形態の表示ラベル付き容器１０においては、第１連結片６及び第２連結片７の面内に第１爪部６２及び第２爪部７２が形成され、この爪部６２，７２を内側に押し出して段部９４，９４内に入れることにより、表示ラベル１の容器９に掛止されているが、例えば、図１３に示すように、第１側方係止部６１及び第２側方係止部の各先端部６１ａを段部９４内に差し込むようにして表示ラベル１が装着されていてもよい。この場合に使用される表示ラベル１は、その第１側方係止部６１及び第２側方係止部６２が上記実施形態の形状よりも少し小さく形成すればよい。また、この場合に使用される表示ラベル１には、爪部６２，７２を敢えて形成する必要はない。
【００３４】
その他、本発明の表示ラベル及び表示ラベル付き容器は、上記実施形態に限られず、本発明の意図する範囲で適宜設計変更することができる。
【符号の説明】
【００３５】
１…表示ラベル、１０…表示ラベル付き容器、１１…挿通孔部、２…正面表示片、２１…正面係止部、３…背面表示片、３１…背面係止部、４…正面係合片、４１…第１正面連設脚部、４２…第２正面連設脚部、５…背面係合片、５１…第１背面連設脚部、５２…第２背面連設脚部、６…第１連結片、６１…第１側方係止部、６２…第１爪部、７…第２連結片、７１…第２側方係止部、７２…第２爪部、９…ゲーブルトップ型容器、９１…容器の胴部、９２…容器の肩部、９２１，９２２…容器の傾斜面
【図１】
2014174520.tif 000003
【図２】
2014174520.tif 000004
【図３】
2014174520.tif 000005
【図４】
2014174520.tif 000006
【図５】
2014174520.tif 000007
【図６】
2014174520.tif 000008
【図７】
2014174520.tif 000009
【図８】
2014174520.tif 000010
【図９】
2014174520.tif 000011
【図１０】
2014174520.tif 000012
【図１１】
2014174520.tif 000013
【図１２】
2014174520.tif 000014
【図１３】
2014174520.tif 000015